(57)【特許請求の範囲】
【請求項１】
多数の扱歯（１９）を有する扱胴（１８）を軸架した扱室（１５）と排塵処理室（１７）とを備え、前記扱室（１５）の横側に扱口（２１）を開口し、該扱口（２１）の外側においてフィードチェン（２０ｂ）の上側に備えた挟持杆（２０ａ）と、前記扱胴（１８）の上方を覆う扱胴カバー（４３）とが一体で上方へ回動する構成とした脱穀装置において、前記扱室（１５）と排塵処理室（１７）とを連通する連通口（２３）よりも後側の部位に、扱胴（１８）後端部の扱歯（１９）によってささり粒を回収するささり粒回収室（５６）を形成し、該扱室（１５）とささり粒回収室（５６）との間を仕切る仕切板（５５）を扱胴（１８）の上方の部位に設け、該仕切板（５５）を、扱胴（１８）の上方を覆う扱胴カバー（４３）側の第１仕切板（５５ａ）と扱口（２１）側の第２仕切板（５５ｂ）とに分割して形成し、前記第１仕切板（５５ａ）を扱胴カバー（４３）に取り付け、前記第２仕切板（５５ｂ）を扱室（１５）における扱口（２１）側のフレーム（４８）に取り付け、前記扱口（２１）の上側の部位には扱歯（１９）の回転軌跡に臨む第１切刃（５０）を設けたことを特徴とする脱穀装置。
【請求項２】
前記扱室（１５）における扱口（２１）側とは反対側の部位に第２切刃（５８）を備えた請求項１記載の脱穀装置。
【請求項３】
前記扱室（１５）内に第１切刃（５０）と第２切刃（５８）を備え、前記ささり粒回収室（５６）内には切刃を備えない構成とした請求項２記載の脱穀装置。
【請求項４】
前記第２切刃（５８）を第１切刃（５０）よりも高い位置に配置すると共に、該第１切刃（５０）の切断位置と第２切刃（５８）の切断位置を扱胴（１８）の軸心方向において前後にずらせて配置した請求項２または請求項３記載の脱穀装置。
【請求項５】
前記フレーム（４８）に第１切刃（５０）を取り付け、前記扱室（１５）における扱口（２１）側とは反対の側に備えた網枠（５７）の上側の部位に第２切刃（５８）を取り付けた請求項２または請求項３または請求項４記載の脱穀装置。
【請求項６】
前記第１仕切板（５５ａ）と第２仕切板（５５ｂ）を接合した状態で、該第１仕切板（５５ａ）の縁部と第２仕切板（５５ｂ）の縁部とが接合部分において重なる構成とした請求項１から請求項５のいずれか一項記載の脱穀装置。
【発明の詳細な説明】
【技術分野】
【０００１】
この発明は、脱穀装置に関する。
【背景技術】
【０００２】
従来から、この種の脱穀装置は、脱穀処理した脱穀物を穀粒とその他の排塵物とに選別分離するために、上側に扱室や二番処理室、更には、排塵処理室を配置し、その下側に選別室を設けて構成している。そして、揺動選別装置は、選別室において、上側に設けられ、前記各脱粒処理室から漏下、乃至は落下した被選別物を揺動作用と、唐箕から送られてくる選別風の風選作用とによって選別する構成としている。
【０００３】
そして、上記揺動選別装置は、通常、選別方向の上手側から移送棚、チャフシーブ、ストローラックの順番に配置して一番粒、二番物、排塵物の順番に選別、分離する構成としている。
【０００４】
そして、従来公知の脱穀装置として、例えば、特許文献１に開示されたものがある。
【先行技術文献】
【特許文献】
【０００５】
【特許文献１】特開平９−２４８０４８号公報
【発明の概要】
【発明が解決しようとする課題】
【０００６】
従来の脱穀装置では、扱室の出口側で穀粒の混入した排塵物が多くなり、四番ロスを低減することができず、機外損失となる問題があった。
【課題を解決するための手段】
【０００７】
この発明は、上述の課題を解決するために、次の技術的手段を講じる。
即ち、請求項１記載の発明は、多数の扱歯（１９）を有する扱胴（１８）を軸架した扱室（１５）と排塵処理室（１７）とを備え、前記扱室（１５）の横側に扱口（２１）を開口し、該扱口（２１）の外側においてフィードチェン（２０ｂ）の上側に備えた挟持杆（２０ａ）と、前記扱胴（１８）の上方を覆う扱胴カバー（４３）とが一体で上方へ回動する構成とした脱穀装置において、前記扱室（１５）と排塵処理室（１７）とを連通する連通口（２３）よりも後側の部位に、扱胴（１８）後端部の扱歯（１９）によってささり粒を回収するささり粒回収室（５６）を形成し、該扱室（１５）とささり粒回収室（５６）との間を仕切る仕切板（５５）を扱胴（１８）の上方の部位に設け、該仕切板（５５）を、扱胴（１８）の上方を覆う扱胴カバー（４３）側の第１仕切板（５５ａ）と扱口（２１）側の第２仕切板（５５ｂ）とに分割して形成し、前記第１仕切板（５５ａ）を扱胴カバー（４３）に取り付け、前記第２仕切板（５５ｂ）を扱室（１５）における扱口（２１）側のフレーム（４８）に取り付け、前記扱口（２１）の上側の部位には扱歯（１９）の回転軌跡に臨む第１切刃（５０）を設けたことを特徴とする脱穀装置としたものである。
【０００８】
請求項２記載の発明は、前記扱室（１５）における扱口（２１）側とは反対側の部位に第２切刃（５８）を備えた請求項１記載の脱穀装置としたものである。
請求項３記載の発明は、前記扱室（１５）内に第１切刃（５０）と第２切刃（５８）を備え、前記ささり粒回収室（５６）内には切刃を備えない構成とした請求項２記載の脱穀装置としたものである。
【０００９】
請求項４記載の発明は、前記第２切刃（５８）を第１切刃（５０）よりも高い位置に配置すると共に、該第１切刃（５０）の切断位置と第２切刃（５８）の切断位置を扱胴（１８）の軸心方向において前後にずらせて配置した請求項２または請求項３記載の脱穀装置としたものである。
【００１０】
請求項５記載の発明は、前記フレーム（４８）に第１切刃（５０）を取り付け、前記扱室（１５）における扱口（２１）側とは反対の側に備えた網枠（５７）の上側の部位に第２切刃（５８）を取り付けた請求項２または請求項３または請求項４記載の脱穀装置としたものである。
【００１１】
請求項６記載の発明は、前記第１仕切板（５５ａ）と第２仕切板（５５ｂ）を接合した状態で、該第１仕切板（５５ａ）の縁部と第２仕切板（５５ｂ）の縁部とが接合部分において重なる構成とした請求項１から請求項５のいずれか一項記載の脱穀装置としたものである。
【発明の効果】
【００１２】
請求項１記載の発明によれば、扱口（２１）の上側の部位に、扱歯（１９）の回転軌跡に臨む第１切刃（５０）を設けたので、扱胴（１８）の扱歯（１９）で持ち回される処理物を、第１切刃（５０）で切断し、選別性を高めて穀粒の機外損失を減少させることができる。また、扱室（１５）とささり粒回収室（５６）との間を仕切る仕切板（５５）を扱胴（１８）の上方の部位に設けたので、扱室（１５）内の穀粒の混入した排塵物が、仕切板（５５）で止められて連通口（２３）から排塵処理室（１７）へ供給され、ささり回収室（５６）には送られにくくなるので、四番ロスが減少し、機外損失を低減することができる。
また、扱胴カバー（４３）に取り付けた第１仕切板（５５ａ）と、扱口（２１）側のフレーム（４８）に取り付けた第２仕切板（５５ｂ）とによって、扱室（１５）とささり粒回収室（５６）とを充分に仕切ることができる。
【００１３】
請求項２記載の発明によれば、請求項１記載の発明の効果に加え、扱室（１５）における扱口（２１）側とは反対の側に設けた第２切刃（５８）によって、扱胴（１８）の扱歯（１９）で持ち回される処理物を切断することができる。
【００１４】
請求項３記載の発明によれば、上記請求項２記載の発明の効果を奏するうえで、ささり粒回収室（５６）内には切刃を備えず、扱室（１５）における扱口（２１）の上側の部位に設けた第１切刃（５０）と扱室（１５）における扱口（２１）側とは反対の側に設けた第２切刃（５８）によって、扱胴（１８）の扱歯（１９）で持ち回される扱室（１５）内の処理物を切断することができる。
【００１５】
請求項４記載の発明によれば、上記請求項２または請求項３記載の発明の効果に加え、第２切刃（５８）を第１切刃（５０）よりも高い位置に配置すると共に、第１切刃（５０）の切断位置と第２切刃（５８）の切断位置を扱胴（１８）の軸心方向において前後にずらせて配置したので、この第２切刃（５８）によって、第１切刃（５０）で切断される処理物とは別のラインを持ち回されている処理物を切断することができる。
【００１６】
請求項５記載の発明によれば、上記請求項２または請求項３または請求項４記載の発明の効果を奏するうえで、扱室（１５）における扱口（２１）側のフレーム（４８）に取り付けた第１切刃（５０）と、扱口（２１）側とは反対の側に備えた網枠（５７）の上側の部位に取り付けた第２切刃（５８）によって、扱胴（１８）の扱歯（１９）で持ち回される処理物を切断することができる。
【００１７】
請求項６記載の発明によれば、上記請求項１から請求項５のいずれか一項記載の発明の効果に加え、第１仕切板（５５ａ）の縁部と第２仕切板（５５ｂ）の縁部とが接合部分において重なるので、処理物を挟むことがほとんどなくなる。
【図面の簡単な説明】
【００１８】
【図１】揺動選別棚の一部でプレシーブとチャフシーブとの側断面図
【図２】プレシーブのピン部分の拡大正面図
【図３】脱穀機（脱穀装置）の切断正面図
【図４】脱穀機の内部でチャフシーブの取り付け状態の正面図
【図５】脱穀機の内部を示す側面図
【図６】脱穀機の内部を示す側面図
【図７】シーブプレートの角度調節の作用図
【図８】脱穀機の内部を示す側面図
【図９】扱室内部を示す正面図
【図１０】扱室内部の一部拡大正面図
【図１１】扱室内部の一部拡大正面図
【図１２】扱室内部の側面図
【図１３】扱室内部の正面図
【図１４】扱室内部の正面図
【図１５】扱室内部の側面図
【発明を実施するための形態】
【００１９】
この出願の発明は、以下に、実施例を具体的に説明するが、主として脱穀機（脱穀装置）１の選別室２に、揺動自由に設けた揺動選別棚３に関し、チャフシーブ６のすぐ前側にプレシーブ５を設けて、扱室１５などから漏下してきた脱穀物の予備選別を行う構成としている。そして、プレシーブ５は、単粒化している穀粒を一挙に選別して、後続するチャフシーブ６に送る脱穀物（被選別物））の総量を大幅に減らして、チャフシーブ６の選別負担を軽減し、脱穀処理を高能率にしたときでもチャフシーブ６の選別精度を高め、極力、二番物や排塵物への穀粒の混入量を少なくして機外損出を減らすものである。
【００２０】
そして、プレシーブ５は、移送棚後端部位に設け、チャフシーブ６の選別面積を縮小するものではなく、チャフシーブ６に比較すると各シーブプレート（第１シーブプレート）間の選別ピッチを狭くし、上下の板幅も短くしてごく小型に構成している。
【００２１】
このようにして、この発明は、脱穀機の処理能力と選別精度を高めて、穀粒の機外飛散を少なくして、高性能の脱穀機を提供するものである。
以下、実施例を図面に基づいて具体的に説明する。
【００２２】
まず、脱穀機１は、図５に示すように、上側に扱室１５、及び二番処理室１６と排塵処理室１７とを設け、下側に選別室２を配置して構成している。そして、扱室１５は、図面に示すように、長手方向に扱胴１８を軸架して設け、該扱胴１８の前側には、穀稈の穂部側を扱室１５に挿入する扱口２１（図３参照）を長手方向に沿わせて開口した構成としている。そして、前記扱胴１８は、従来から周知のとおり、外周に多数の扱歯１９，１９を設けるが、その場合、扱歯１９，１９に回転に伴って脱穀作用と脱穀物を扱室１５の下手側に送る送塵作用との機能を与えるように配列した構成としている。
【００２３】
そして、穀稈挟持搬送装置２０は、図３、及び図５に示すように、前記扱口２１の外側において、穀稈の搬送方向に沿わせて、上側に挟持杆２０ａと下側にフィードチェン２０ｂとを設け、穀稈の株元側を上下から挟持して穂先側を前記扱口２１から扱室１５に挿入した状態で脱穀しながら搬送する構成としている。
【００２４】
そして、選別室２は、図５で解るように、上側に、脱穀物の選別方向に沿わせて揺動選別棚３を揺動自由に支持して設けている。そして、該揺動選別棚３は、選別方向の上手側から移送棚４、プレシーブ５、チャフシーブ６、ストローラック７の順に配置して構成している。そして、実施例の場合、図５に示すように、前部の移送棚４とプレシーブ５とチャフシーブ６の始端部分とを、扱室１５、及び二番処理室１６の下方に位置させて配置した構成としている。なお、チャフシーブ６は、その始端部が、前記扱室１５の終端部分で排塵処理室１７への連通路２３の下方に位置する構成にしている。そして、前記プレシーブ５は、そのすぐ下手側（選別方向）に配置したチャフシーブ６に比較すると、図１から解るように、各シーブプレート（第１シーブプレート）５ａ，５ｂ，５ｃ間の選別ピッチＰを狭くし、上下幅Ｈも短くした小型の装置に構成している。
【００２５】
そして、前記プレシーブ５は、図１、乃至図３に示すように、各シーブプレート５ａ，５ｂ，５ｃの側部に取り付ける上側の回動支点ピン（第１回動支点ピン）８と、回動連結板（第１回動連結板）９に接続するために取り付ける下側の接続ピン（第１接続ピン）１０とは、ピンホルダ２４に差し込んで取り付けた構成としているが、この場合、回動支点ピン８と接続ピン１０とは、一本の鋼材を素材として曲げ加工により上下一体のコ字状に構成している。そして、プレシーブ５は、図１、乃至図３に示すように、揺動選別棚３の両側の側板３ａ，３ｂに、上側に回動支点孔２５と下側に調節長孔２６とを設けて、それぞれに回動支点ピン８と回動連結板９に接続した接続ピン１０を通して傾斜角度を調節して選別ピッチＰを選択調節できる構成としている。
【００２６】
そして、実施例の場合、回動連結板９は、図１に示すように、締め付けと緩めができるロックねじ２７によって移動調節ができる構成としている。
つぎに、チャフシーブ６は、図１、及び図４に示すように、各シーブプレート（第２シーブプレート）６ａ，６ｂ，６ｃの側端部分に設ける回動支点ピン（第２回動支点ピン）１１と接続ピン（第２接続ピン）１２を樹脂素材の成型加工によって取付用支持部１３の上下に一体構成として、取り付けている。この場合、取付用支持部１３は、図４に示すように、各シーブプレート６ａ，６ｂ，６ｃの両側から側端部に差し込んで連結し、上下のピン１１，１２を取り付ける構成としている。
【００２７】
そして、前記プレシーブ５のシーブプレート５ａ，５ｂ，５ｃに取り付けた回動支点ピン８と接続ピン１０とは、チャフシーブ６の各シーブプレート６ａ，６ｂ，６ｃの回動支点ピン（第２回動支点ピン）１１、及び接続ピン１２のピン径（ａ）より小径に構成しており、そのために、樹脂素材では強度上適さないから、前記の通り、鋼材を使用している。
【００２８】
以上のように、プレシーブ５は、チャフシーブ６の選別方向の上手側に配置して、移送棚４から送られた脱穀物の予備選別ができる構成にしているから、チャフシーブ６に達する前の脱穀物から、既に脱粒されて単粒化している穀粒を選別して下方に分離し、被選別物の総量を少なくすることができる。したがって、チャフシーブ６は、従来のように過度の選別負担を負うことが少なくなり、本来の選別能力を充分に発揮しながら選別作用ができるもので、選別能率は勿論のこと、選別の精度も大幅に向上することができた。
【００２９】
そして、実施例の場合、プレシーブ５は、従来の移送棚の後端部位に相当する位置に設けているから、チャフシーブ６の選別面積を狭めるものではなく、上述の如く、予備選別を行うプレシーブ５を装置することで、チャフシーブ６の負担を大幅に軽くし、揺動選別棚３全体として選別精度を向上することができた。
【００３０】
そして、実施例の場合、プレシーブ５をチャフシーブ６に比較すると、図１から解るように、シーブプレート５ａ，５ｂ，５ｃの上下長さ（幅）を短くして選別ピッチＰも狭くして全体としてチャフ側より小型にすることによって、図２、及び図３に示すように、回動支点ピン８を受ける棚３の側板３ａ，３ｂに開孔した回動支持孔２５と接続ピン１０の調節長孔２６を狭くすることが可能で、大きな孔を必要としないから前記側板３ａ，３ｂの頑丈さが保て、全体として小型に構成できる利点がある。
【００３１】
更に、実施例のチャフシーブ６は、図４に示すように、樹脂素材からなる取付用支持部１３の上下に両ピン１１，１２を一体成型したから、全体の軽量化が図られ、しかも、比較的低コストで生産できる特徴もある。そして、プレシーブ５は、既に述べたように、回動支点ピン８と接続ピン９との線径が細いから、樹脂素材から成型加工する手段では強度上適さないが、鋼材（実施例ではピアノ線）の曲げ加工によって製作すると、これは線径が細くても充分の強度が確保できるから、耐久性においても調節操作上も全く支障なく円滑に調節ができるものとなった。
【００３２】
そして、チャフシーブ６は、図１、及び図４に示すように、揺動選別棚３の両側板３ａ，３ｂに、上側の回動支点ピン１１を回動自由に枢着し、下側の接続ピン１２を調節長孔３０内を通して回動連結板（第２回動連結板）３１に連結し、更に、その回動連結板３１を、回動アーム３２、調節ワイヤー３３に連結して角度調節（選別間隔調節）を可能に構成している。
【００３３】
このように、実施例のチャフシーブ６は、図１、図２、図３、及び図５に示すように、角度調節をプレシーブ５とは独立して別々に行う構成にしたから、麦の場合や穀粒流量が少量の場合、プレシーブを閉じて、チャフ側を開いて漏下させながら選別することが可能であり、又、脱穀作業を高能率にして脱粒容易な品種では、プレシーブ５の開度を大きくして充分な予備選別をすることが可能で、チャフシーブ６の選別負担を軽くできる。
【００３４】
そして、脱穀機１は、図５に示すように、フィードチェン２０ｂ側の側板に掃除口３５を開口しているから、これを利用して前記プレシーブ５のロックねじ２７を操作してシーブプレート５ａ，５ｂ，５ｃの角度調節操作ができる特徴がある。
【００３５】
つぎに、プレシーブ５とチャフシーブ６とを後述する連動構成によって、一体調節を可能として、調節操作の簡略化を図った実施例を説明する。
この場合、プレシーブ５とチャフシーブ６とは、図６に示すように、両方の回動連結板９、３１とを連動ロッド３７で連結して連動調節可能に構成している。そして、連動ロッド３７は、図６に示すように、複数の調整孔３８ａ，３８ｂ，３８ｃを設け、係合ピン３９の抜き差しにより、両者の相対的な角度の関係を調整することができる構成にしている。
【００３６】
なお、この調整操作は、既に説明した脱穀機１の側板に開口している掃除口３５を開けて行うことができる。
そして、プレシーブ５とチャフシーブ６とは、図７に作用図で示すように、連動ロッド３７で連結して、チャフ側の回動アーム３２、調節ワイヤー３３を介して外部から調節すると、両方の回動連結板９，３１を介して両方のシーブプレート５ａ，５ｂ，５ｃ，６ａ，６ｂ，６ｃが同時に連動し角度が調節される。そのとき、図７に示すように、プレシーブ５側のシーブプレート５ａの回動角θ1が、チャフシーブ６側のシーブプレート６ａの回動角度θ2より大きくなり、開度の調節範囲が大きくなる構成となっている。
【００３７】
このように構成したプレシーブ５とチャフシーブ６とは、連動調節して選別ピッチを変えて選別作業を行うと、プレシーブ５の方がチャフ側に比較して、常に、極端に閉まり、極端に開くことになるが、開いた場合でも、逆に、閉まった場合でも、プレシーブ５が選別工程の前寄りにあって、後方の選別作用工程が長いから、その間で充分に風選作用等を受けて悪影響が出ることはほとんどない。
【００３８】
それよりも、プレシーブ５は、チャフに対して予備選別を行う作用が大きく、各種の条件適応性が拡大し、既に述べたように、チャフシーブ６の前で予備選別を行う特有の機能を発揮できる優れた利点がある。
【００３９】
つぎに、脱穀機1の扱室１５について、内部の具体的な構成を実施例ごとに図面に基づいて説明する。
まず、抵抗板（板体）４０は、図８、及び図９に示すように、挟持杆２０ａの内側において、基部を扱室内側案内板４１と挟持杆取付台４２とに接続して取り付け、前記扱口２１の始端部から終端部に渡り搬送穀稈を上側から押圧しながら層状にして案内するように構成している。そして、実施例の場合、穀稈挟持搬送装置２０と抵抗板４０は、図８に示すように、略水平状態に軸架されている前記扱胴１８に対して、右側（搬送終端側）上がりに形成されている扱口２１に沿わせて、順次右上がりに設けた構成としている。そして、抵抗板４０は、図９の仮想線で示すように、従来から公知の構成と同様に扱胴カバー４３を上方にオープン回動するとき、挟持杆２０ａと共に上方に一体となって上がる構成となっている。
【００４０】
つぎに、送塵ガイド板４４は、図８、及び図９に示すように、側面視で長方形状の板体に形成し、右端部分、すなわち、扱室１５の出口に近い部分では、上記抵抗版４０の下縁形状に合わせて、斜めに切上部を形成し、中間部位から先端部に至る範囲に、扱歯１９，１９が通過できる程度の幅のしごき溝４５，４５を長手方向に櫛状に連続して設け、後部を板状案内部４４ａに構成している。そして、送塵ガイド板４４は、図９に示すように、上記抵抗板４０の内側において、脱穀機１の枠組みを構成している前板４６と後板４７とに架渡して設けた取付フレーム（フレーム）４８に基部を取り付け、先端側を扱胴１８方向に延長して構成している。そして、送塵ガイド板４４は、図面に示すように、先端側を前記扱歯１９，１９の回転圏内に入り込ませ、扱歯１９，１９が前記しごき溝４５、４５内を通過する位置まで扱胴１８に接近させて設けた構成（前板から中板までの間）とし、後部の板状安内部４４ａは、図１１に示すように、扱歯１９，１９の回転圏内から外側に位置させて構成（中板から後板までの間）している。
【００４１】
そして、切刃（第１切刃）５０は、図１０に示すように、前記取付フレーム４８に取り付けるが、その場合、前記送塵ガイド板４４を上側にして取付フレーム４８をサンドイッチ状に挟んで共締めにして固定している。そして、切刃５０は、図１０から解るように、扱歯１９の回転圏内に臨ませて配置し、扱歯19の回転方向に対して後退角を与えて構成している。
【００４２】
この構成によって、切刃５０は、扱歯１９によって持ち回られてくる未処理物を、比較的小さい消費馬力で適確に切断して送塵ガイド板４４上に落し、更に、送塵ガイド板４４は、しごき溝４５，４５によって扱歯１９，１９からしごき取った枝梗付着粒や藁屑（穀粒が混入したものが多い）を、扱室１５内の抵抗を増加することなく、搬送穀稈の株元から遠ざける扱胴１８側に案内することができ、４番ささり粒を大幅に減らすことができる。このとき、切刃５０が切断した切断物は、送塵ガイド板４４のガイド面（しごき溝４５としごき溝４５との間の板の部分）上に案内されて穀稈株元から遠い扱胴１８側へ案内される。そして、上記取付フレーム４８は、図１０に示すように、上部を、上側の扱室内側案内板４１を伝わって流下する未処理物を受け取るように接近させ、更に、傾斜安内面４８ａを形成し、未処理物を切刃５０に誘導できる構成としている。
【００４３】
そして、取付フレーム４８は、図１０に示すように、下端縁を内部の切刃５０側に折り曲げて回止め部４８ｂを形成し、切断作用が適確にできるようにしている。
つぎに、仕切板５５について説明する。
【００４４】
まず、仕切板５５は、図１２、及び図１３に示すように、扱室１５と排塵処理室１７との連通口２３の出口側と、それより更に出口側に位置するささり粒回収室５６との間において、扱胴１８の上方部分から扱口２１に近い部位までを仕切って隔離した構成としている。この実施例に係る仕切板５５は、図面に示すように、扱胴カバー４３に取り付けた上部仕切板（第１仕切板）５５ａと、取付フレーム４８に取り付けた下部仕切板（第２仕切板）５５ｂとの上下２枚から構成している。そして、上部仕切板５５ａと下部仕切板５５ｂとは、接合部分でラップさせて構成している。
【００４５】
このように構成すると、扱室１５の排塵物は、扱胴１８の上方が上記仕切板５５で堰き止められた状態で、排塵処理室１７に送塵されるべき排塵物が出口側のささり粒回収室に送られるのが止められる。そして、これらの排塵物は、連通口２３を経由してほとんどが排塵処理室１７に供給される。したがって、出口側のささり粒回収室５６は、穀粒の混入した排塵物（塵埃）が少なくなり、機外損失となる四番ロスを大幅に低減することができる効果がある。更に、仕切板５５は、扱胴カバー４３に取り付けた上部と、切刃５０や排塵ガイド板４４を取り付ける取付フレーム４８を利用して取り付けた下部との２枚分割構成にしたから、前側の下部仕切板５５ｂを扱胴１８の軸芯近くまで設けられるから、充分に仕切りができるものとなった。更に、上記仕切板５５は、上部５５ａの下縁部分と下部５５ｂの上縁部分との接合部をラップさせて構成しているから、処理物を挟むことがほとんどなくなり、詰まるおそれもない特徴がある。
【００４６】
つぎに、図１４、及び図１５に示すように、既に説明した送塵ガイド板４４の上側に配置した切刃５０に加えて扱室１５の奥側にある網枠５７の上側にも切刃（第２切刃）５８を配列して設けた別の実施例について説明する。
【００４７】
まず、切刃５８は、図１４、及び図１５に示すように、前板４６と後板４７との間に架渡して設けた取付フレーム６０に取り付けて設け、高い位置において、網枠５７の上側に配列して設け、扱胴１８が扱歯１９，１９によって持ち回っている脱穀物を切断する構成としている。そして、この場合、切刃５８は、図１４に示すように、既に説明した前側の切刃５０より高い位置にあり、しかも、図１５に示すように、異なる切断ライン上に配列して切刃５０と別のラインを持ち回られている脱穀物を切断できる配置に構成している。
【００４８】
このように構成すると、扱室１５は、前側と、後側とにそれぞれ切刃５０、５８とを取り付ける取付フレーム４８、６０を架渡して構成したから、枠組みの剛性が増して頑丈な構成になった特徴がある。そして、扱室１５は、両方の切刃５０，５８とを高い位置に設けたから、受網６１の張設範囲が広くなり、室内の選別漏下面積が拡大した付随的な効果がある。
【００４９】
そして、切刃５８，５０は、扱室１５内部に増やすことで、扱胴１８が扱歯１９，１９にひっかけて持ち回る未処理物を適確に切断して、脱粒、及び選別効果を高め、穀粒の機外ロスを減少させる特徴があり、特に、雨天時などの湿材を処理する悪条件下の脱穀作業でも扱室１５内での異音の発生を従来よりはるかに少なくなる効果がある。
【符号の説明】
【００５０】
１５    扱室
１７    排塵処理室
１８    扱胴
１９    扱歯
２０ａ 挟持杆
２０ｂ フィードチェン
２１    扱口
２３    連通口
４３    扱胴カバー
４８    取付フレーム（フレーム）
５０    切刃（第１切刃）
５５    仕切板
５５ａ  上部仕切板（第１仕切板）
５５ｂ  下部仕切板（第２仕切板）
５６    ささり粒回収室
５８    切刃（第２切刃）
【図１】
0005321714.tif 000002
【図２】
0005321714.tif 000003
【図３】
0005321714.tif 000004
【図４】
0005321714.tif 000005
【図５】
0005321714.tif 000006
【図６】
0005321714.tif 000007
【図７】
0005321714.tif 000008
【図８】
0005321714.tif 000009
【図９】
0005321714.tif 000010
【図１０】
0005321714.tif 000011
【図１１】
0005321714.tif 000012
【図１２】
0005321714.tif 000013
【図１３】
0005321714.tif 000014
【図１４】
0005321714.tif 000015
【図１５】
0005321714.tif 000016